(57)【要約】【課題】残像を抑えつつ、限定されたタイミングでリフレッシュを行うこと。【解決手段】画像書き換え制御装置は、書き換え処理を行う書き換え手段と、複数の画素を所定の領域に区分することにより得られる小区分について、当該小区分に含まれる画素に所定の電圧が印加された時間に関するパラメータを測定する測定手段と、測定手段により測定されたパラメータを各画素について記憶する記憶手段と、記憶手段に記憶されたパラメータに基づいて小区分についてパラメータの代表値を算出する算出手段と、代表値がしきい値を超えた場合、表示装置が有する全画素のうち少なくとも当該代表値に対応する小区分を含む部分について、第１の消去ステップよりも長い期間を用いて表示装置から第１の画像データを消去する第２の消去ステップを含むリフレッシュ処理を行うように書き換え手段を制御する制御手段とを有する。【選択図】図１
2009204813.tif 000002
【特許請求の範囲】
【請求項１】
複数の画素を有する表示装置に供給された第１の画像データを所定の期間において消去する第１の消去ステップおよび前記表示装置に第２の画像データを供給する書き込みステップを含む書き換え処理を行う書き換え手段と、
前記複数の画素を所定の領域に区分することにより得られる小区分について、当該小区分に含まれる画素に所定の電圧が印加された時間に関するパラメータを測定する測定手段と、
前記測定手段により測定されたパラメータを各画素について記憶する記憶手段と、
前記記憶手段に記憶されたパラメータに基づいて前記小区分について前記パラメータの代表値を算出する算出手段と、
前記代表値がしきい値を超えた場合、前記表示装置が有する全画素のうち少なくとも当該代表値に対応する小区分を含む部分について、前記第１の消去ステップよりも長い期間を用いて前記表示装置から前記第１の画像データを消去する第２の消去ステップを含むリフレッシュ処理を行うように前記書き換え手段を制御する制御手段と
を有する画像書き換え制御装置。
【請求項２】
前記パラメータは、前記各画素において同一階調の表示が連続した回数を示す
ことを特徴とする請求項１に記載の画像書き換え制御装置。
【請求項３】
前記パラメータは、前記各画素において前記所定の電圧の印加が連続した時間を示す
ことを特徴とする請求項１に記載の画像書き換え制御装置。
【請求項４】
前記パラメータは、前記各画素において過去の所定回数の表示のうち所定の階調が表示された割合を示す
ことを特徴とする請求項１に記載の画像書き換え制御装置。
【請求項５】
前記パラメータは、前記各画素において過去の所定時間の電圧印加のうち前記所定の電圧が印加された時間の割合を示す
ことを特徴とする請求項１に記載の画像書き換え制御装置。
【請求項６】
請求項１−５のいずれかの項に記載の画像書き換え制御装置と、
前記画像書き換え制御装置により駆動される前記表示手段と
を有する情報表示装置。
【発明の詳細な説明】
【技術分野】
【０００１】
本発明は、情報表示装置において画像を書き換える技術に関する。
【背景技術】
【０００２】
電気泳動表示素子等の記憶性表示素子を用いた情報表示装置が知られている。記憶性表示素子は表示を保持するためのリフレッシュ駆動が不要であるため、紙に近い表示品質を有し目に優しいという特徴がある。このような特徴を活かし、比較的長めの文書をじっくりと読むのに用いられる、電子ブックまたは電子ペーパといわれる装置が開発されている。
【０００３】
電子ペーパに表示される画像は、ユーザの指示に応じて書き換えられる。例えば特許文献１は、電気泳動表示装置において表示内容の書き換えを行う方法を開示している。しかし、特許文献１に記載の方法によると、表示部に残像が生じてしまうことがある。残像を低減する技術として、特許文献２に記載の技術が知られている。特許文献２は、共通電極に高周波電圧を印加することを開示している。
【０００４】
【特許文献１】特開２００２−１４９１１５号公報
【特許文献２】特開２００４−３２５４８９号公報
【発明の開示】
【発明が解決しようとする課題】
【０００５】
特許文献２のように共通電極に高周波電圧を印加し続けると、消費電力が増加してしまう。これに対し本発明は、残像を抑えつつ、ある限定されたタイミングでリフレッシュを行う技術を提供する。
【課題を解決するための手段】
【０００６】
本発明は、複数の画素を有する表示装置に供給された第１の画像データを所定の期間において消去する第１の消去ステップおよび前記表示装置に第２の画像データを供給する書き込みステップを含む書き換え処理を行う書き換え手段と、前記複数の画素を所定の領域に区分することにより得られる小区分について、当該小区分に含まれる画素に所定の電圧が印加された時間に関するパラメータを測定する測定手段と、前記測定手段により測定されたパラメータを各画素について記憶する記憶手段と、前記記憶手段に記憶されたパラメータに基づいて前記小区分について前記パラメータの代表値を算出する算出手段と、前記代表値がしきい値を超えた場合、前記表示装置が有する全画素のうち少なくとも当該代表値に対応する小区分を含む部分について、前記第１の消去ステップよりも長い期間を用いて前記表示装置から前記第１の画像データを消去する第２の消去ステップを含むリフレッシュ処理を行うように前記書き換え手段を制御する制御手段とを有する画像書き換え制御装置を提供する。
この画像書き換え制御装置によれば、パラメータの代表値がしきい値を超えたときに、小区分についてリフレッシュ処理が行われる。
【０００７】
好ましい態様において、前記パラメータは、前記各画素において同一階調の表示が連続した回数を示してもよい。
この画像書き換え制御装置によれば、同一階調の表示が連続した回数がしきい値を超えた小区分についてリフレッシュ処理が行われる。
【０００８】
別の好ましい態様において、前記パラメータは、前記各画素において前記所定の電圧の印加が連続した時間を示してもよい。
この画像書き換え制御装置によれば、所定の電圧の印加が連続した時間がしきい値を超えた小区分についてリフレッシュ処理が行われる。
【０００９】
さらに別の好ましい態様において、前記パラメータは、前記各画素において過去の所定回数の表示のうち所定の階調が表示された割合を示してもよい。
この画像書き換え制御装置によれば、過去の所定回数の表示のうち所定の階調が表示された割合がしきい値を超えた小区分についてリフレッシュ処理が行われる。
【００１０】
さらに別の好ましい態様において、前記パラメータは、前記各画素において過去の所定時間の電圧印加のうち前記所定の電圧が印加された時間の割合を示してもよい。
この画像書き換え制御装置によれば、過去の所定時間の電圧印加のうち前記所定の電圧が印加された時間の割合がしきい値を超えた小区分についてリフレッシュ処理が行われる。
【００１１】
また、本発明は、上記いずれかの画像書き換え制御装置と、前記画像書き換え制御装置により駆動される前記表示手段とを有する情報表示装置を提供する。
この情報表示装置によれば、パラメータの代表値がしきい値を超えた小区分についてリフレッシュ処理が行われる。
【発明を実施するための最良の形態】
【００１２】
１．構成
図１は、本発明の一実施形態に係る情報表示装置１の機能構成を示す図である。操作手段２０は、ユーザの操作に応じた信号を出力する。割り込み処理手段３０は、操作手段２０から出力された信号に応じて、表示すべき画像の生成を指示する割り込み信号を画像生成手段４０に対して出力する。画像生成手段４０は、割り込み信号に応じて、表示すべき画像（ページ画像）を示す画像データを生成し、生成した画像データを記憶手段５０に記憶させる。さらに画像生成手段４０は、表示装置６０に画像を表示させる命令を画像書き換え制御装置１０に出力する。この命令を受けた画像書き換え制御装置１０は、記憶手段５０から画像データを読み出し、この画像データに従った画像を表示装置６０に表示させる。表示装置６０は、複数の画素を有する。
【００１３】
画像書き換え制御装置１０は、表示装置６０における画像の書き換えを制御する装置、すなわち、表示装置６０に画像データを供給し、表示装置６０を駆動する装置である。画像書き換え制御装置１０は、詳細には以下の構成を有する。書き換え手段１１は、表示装置６０に表示される画像を第１の画像から第２の画像に書き換える書き換え処理を行う。書き換え処理は、表示装置６０に供給された第１の画像を示すデータ（以下「第１の画像データ」という）を所定の期間において消去する第１の消去ステップと、表示装置６０第２の画像を示すデータ（以下「第２の画像データ」という）を供給する書き込みステップとを含む。測定手段１３は、複数の画素を所定の領域に区分することにより得られる小区分の各々について、その小区分に含まれる画素に所定の電圧が印加された時間に関するパラメータを測定する。記憶手段１４は、測定手段１３により測定されたパラメータを各画素について記憶する。算出手段１５は、記憶手段１４に記憶されたパラメータに基づいて各小区分についてパラメータの代表値を算出する。制御手段１２は、代表値がしきい値を超えた場合、表示装置６０が有する全画素のうち少なくともその代表値に対応する小区分を含む部分について、リフレッシュ処理を行うように書き換え手段１１を制御する。リフレッシュ処理は、第１の消去ステップよりも長い期間において（すなわち、長い時間をかけて）表示装置６０から第１の画像データを消去する第２の消去ステップを含む。
【００１４】
図２は、情報表示装置１のハードウェア構成を示す図である。この例で、情報表示装置１は、電子ペーパである。ＣＰＵ（Central Processing Unit）１０１は、情報表示装置１の構成要素を制御する制御装置である。ＲＯＭ（Read Only Memory）１０２は、情報表示装置１の起動に必要なプログラムやデータを記憶する不揮発性の記憶装置である。ＲＡＭ（Random Access Memory）１０３は、ＣＰＵ１０１がプログラムを実行する際のワークエリアとして機能する記憶装置である。ＶＲＡＭ（Video Random Access Memory）１０４は、表示体１０７に表示させる画像（以下「メイン画像」という）を示すデータを記憶する記憶装置である。ＶＲＡＭ１０４は、メイン画像の記憶領域を有しており、メイン画像はその記憶領域に記憶される。Ｉ／Ｏ（Input/Output）１０５は、データや信号の入出力を管理するインターフェースである。ＵＩ（User Interface）ボタン群１０６は、ユーザの操作に応じた信号を出力する装置、例えば、ボタン（書き換えボタンやページ送りボタン、決定ボタンなど）・キーパッド・ホイール・レバー・タッチパネル・ペンデバイスなどの操作子を含む入力装置である。補助記憶装置１１５は、表示体１０７に表示することが可能なデータを記憶する記憶装置である。ＵＩボタン群１０６はＩ／Ｏ１０５に接続されており、ＵＩボタン群１０６から出力された信号はＩ／Ｏ１０５を介してＣＰＵ１０１に入力される。タイマＴは、時間を示す信号を出力する計時装置である。
【００１５】
表示体１０７は、記憶性表示素子である電気泳動表示素子を有する電気泳動ディスプレイ（Electrophoretic Display、以下「ＥＰＤ」という）である。表示制御部１０８は、表示体１０７の描画制御を行う信号を出力する装置である。以下、必要に応じて表示体１０７と表示制御部１０８をあわせて「メインディスプレイ」という。電源オン・オフ回路１１１は、表示制御部１０８・ＣＰＵ１０１などの要素への電力の供給を行ったり停止したりする回路である。以下、ある構成要素に電力を供給することを「電源をオンする」と、電力の供給を停止することを「電源をオフする」という。電源制御部１１２は、情報表示装置１の電源管理を行う装置である。具体的には、電源制御部１１２は、電源オン・オフ回路１１１を制御して表示制御部１０８およびＣＰＵ１０１の電源をオンまたはオフする。また、電源制御部１１２は、電池１１３の残量を監視する。電池１１３は、表示制御部１０８・ＣＰＵ１０１・ＲＡＭ１０３など、情報表示装置１の構成要素に電力を供給する。バス１１４は、構成要素間での信号の伝送に用いられる伝送路である。
【００１６】
指紋センサ１１７は、ユーザの指紋を静電的に読み取り、読み取った指紋の画像を示す信号を出力する装置である。指紋センサ１１７はＩ／Ｏ１０５に接続されており、指紋センサ１１７から出力された信号はＩ／Ｏ１０５を介してＣＰＵ１０１に入力される。
【００１７】
ＲＯＭ１０２は、以下で説明する処理を行う制御プログラムを記憶している。ＣＰＵ１０１がこの制御プログラムを実行することにより、図１に示される機能が情報表示装置１に実装される。ここで、表示制御部１０８は画像書き換え制御装置１０の一例であり、ＵＩボタン群１０６および指紋センサ１１７は操作手段２０の一例であり、ＣＰＵ１０１は割り込み処理手段３０および画像生成手段４０の一例であり、ＶＲＡＭ１０４は記憶手段５０の一例であり、表示体１０７は表示装置６０の一例である。
【００１８】
図３は、情報表示装置１の外観を示す図である。情報表示装置１は、筐体の前面に表示体１０７の表示面、およびＵＩボタン群１０６を有する。ＵＩボタン群１０６は、ページ送りボタン１０６ｂを有する。
【００１９】
２．動作
図４は、情報表示装置１の動作を示すフローチャートである。図４のフローは、例えば、ユーザがある文書の表示を指示したことを契機として開始される。この文書は複数ページの画像から構成されている。
【００２０】
ステップＳ１００において、ＣＰＵ１０１は、文書のうち表示体１０７に表示させるページを示す変数（表示画像番号ｎ）を、ｎ＝１として初期化する。
ステップＳ１１０において、ＣＰＵ１０１は、画素状態を更新するように表示制御部１０８を制御する。画素状態とは、複数の画素を所定の領域に区分することにより得られる小区分の各々について、その小区分に含まれる画素に所定の電圧が印加された時間に関するパラメータをいう。ここでは、小区分は１つの画素であり、パラメータは各画素において同一階調の表示が連続した回数である場合を例に説明する。
【００２１】
図５は、画素状態を例示する図である。ここでは、表示体１０７が横１０００画素×縦２０００画素のマトリクス状に配置された複数の画素を有する場合を例に説明する。各画素の位置の特定には、ｘｙ座標系が用いられる。例えば、左から３番目、上から４番目の画素は、（ｘ，ｙ）＝（２，３）として特定される。いま、各画素のパラメータの値をＰ（ｘ，ｙ）で表す。パラメータの値が正である場合には階調値「黒」が連続している（繰り返されている）ことを、パラメータの値が負である場合には「白」が連続していることを示す。パラメータの値がゼロである場合には、同一の階調値が連続していないことを示す。図５の例では、Ｐ（２，３）＝−４である。これは、この画素で階調「白」が４回連続していることを示している。
【００２２】
表示制御部１０８は内部にメモリ（記憶手段１４）を有しており、図５のような画素状態を記憶している。初期状態では全画素のパラメータの値はゼロである。表示制御部１０８は、次に表示しようとするページ（第ｎページ）の画像データ（以下、「第ｎの画像データ」という）をＶＲＡＭ１０４から読み出す。表示制御部１０８は、読み出した画像データに従って画素状態を更新する。この処理は、小区分に含まれる画素に所定の電圧が印加された時間を測定する処理（測定手段１３）に相当する。
【００２３】
再び図４を参照して説明する。ステップＳ１２０において、表示制御部１０８は、画素状態がリフレッシュ条件を満たしたか判断する。「リフレッシュ条件」とは、リフレッシュ処理を行うタイミングを決定するのに用いられる条件であって、画素に所定の電圧が印加された時間がしきい値を超えたことを示す条件をいう。この例では、繰り返し回数の上限（しきい値）があらかじめ決められており（例えば３回）、繰り返し回数がこの上限を超えることが条件として用いられる。すなわち、｜Ｐ（ｘ，ｙ）｜＞３が満たされたとき、画素（ｘ，ｙ）はリフレッシュ条件を満たしている。リフレッシュ条件が満たされたと判断された場合（Ｓ１２０：ＹＥＳ）、表示制御部１０８は、処理をステップＳ１３０に移行する。リフレッシュ条件が満たされていないと判断された場合（Ｓ１２０：ＮＯ）、表示制御部１０８は、処理をステップＳ１５０に移行する。
【００２４】
ステップＳ１３０において、表示制御部１０８は、リフレッシュ処理を行う。ここでは、表示制御部１０８は、全画素を対象としてリフレッシュ処理を行う。リフレッシュ処理は、残像の低減または解消を目的として行われるものであり、例えば、全画素に階調値「黒」を書き込むステップおよび全画素に「白」を書き込むステップを含む。
【００２５】
ステップＳ１４０において、表示制御部１０８は、画素状態を初期化する。すなわち、表示制御部１０８は、リフレッシュ処理が行われた画素について、パラメータの値をゼロに初期化する。
【００２６】
ステップＳ１５０において、表示制御部１０８は、第ｎページの画像を表示するように表示体１０７を制御する。すなわち、表示制御部１０８は、第ｎの画像データを表示体１０７も供給する。
【００２７】
ステップＳ１６０において、ＣＰＵ１０１は、割り込みが発生したか判断する。ここで、「割り込み」とは、表示すべき画像の更新（ページめくり）すなわち新たに表示すべき画像を生成する指示、または電源をオフする指示をいう。この例でページめくりの割り込みは、ＵＩボタン群１０６のページ送りボタン１０６ｂが押されたというイベントである。また、電源オフの割り込みは、ＵＩボタン群１０６の電源ボタン（図示略）が押されたというイベント、または前回書き換えが行われてから所定の時間が経過したというイベントである。これ以外の操作子が操作された場合は、ここでは割り込みがなかったものとして処理される。割り込みが無かった場合（Ｓ１６０：無し）、ＣＰＵ１０１は、割り込みが発生するまで待機する。ページめくりの割り込みが発生した場合（Ｓ１６０：ページめくり）、ＣＰＵ１０１は、処理をステップＳ１７０に移行する。電源オフの割り込みが発生した場合（Ｓ１６０：電源オフ）、ＣＰＵ１０１は、図４のフローを終了する。
【００２８】
ステップＳ１７０において、ＣＰＵ１０１は、表示画像番号ｎをｎ＝ｎ＋１として更新する。表示画像番号ｎを更新すると、ＣＰＵ１０１は、処理を再びステップＳ１１０に移行する。
【００２９】
以上で説明したように本実施形態によれば、画素に所定の電圧が印加された時間がしきい値を超えた場合、より詳細には、同じ階調の表示が連続した回数がしきい値を超えた場合、残像の低減を目的としてリフレッシュ処理が行われる。
【００３０】
３．他の実施形態
本発明は上述の実施形態に限定されるものではなく種々の変形実施が可能である。以下、変形例をいくつか説明する。変形例の説明において実施形態と共通する要素には共通の参照符号が用いられる。以下で説明する変形例のうち２つ以上のものが組み合わせて用いられてもよい。
【００３１】
３−１．変形例１
画素情報として用いられるパラメータは、上述の実施形態で説明したものに限定されない。例えば、パラメータは、各画素において所定の電圧（階調値「黒」に対応する電圧または階調値「白」に対応する電圧）の印加が連続した時間を示すものであってもよい。この場合、リフレッシュ条件において用いられるしきい値は、時間の上限を示す。
【００３２】
３−２．変形例２
別の例で、パラメータは、各画素において過去の所定回数の表示のうち所定の階調が表示された割合を示すものであってもよい。例えば、パラメータは、過去１０回の表示のうち黒が表示された割合示す。Ｐ＝０．８であった場合、過去１０回の表示のうち８回が階調値「黒」であったことを示す。Ｐ＝０．２であった場合、過去１０回の表示のうち２回が階調値「黒」であったこと、すなわち８回は「白」であったことを示す。この場合、リフレッシュ条件において用いられるしきい値は、過去１０回の表示において許容される階調の偏りの限界を示す。例えば階調の偏りの上限値を８回に設定する場合、リフレッシュ条件において用いられるしきい値は、上限値として０．８、下限値として０．２である。
【００３３】
３−３．変形例３
さらに別の例で、パラメータは、各画素において過去の所定時間の電圧印加のうち所定の電圧（階調値「黒」に対応する電圧または階調値「白」に対応する電圧）が印加された時間の割合を示すものであってもよい。この場合、リフレッシュ条件において用いられるしきい値は、時間の割合の上限を示す。
【００３４】
３−４．変形例４
図６は、変形例４に係る小区分を例示する図である。上述の実施形態においては、小区分が１つの画素である例について説明したが、小区分はこれに限定されない。表示体１０７が有する複数の画素を所定の領域に区分することにより得られるものであれば、どのような領域が小区分として用いられてもよい。図６は、１つの小区分が複数の画素から構成される例を示している。この例では、表示体１０７の画素を横に３分割、縦に４分割した領域を小区分とする例を示している。この場合において、リフレッシュ条件の判断は小区分ごとに行われる。リフレッシュ条件の判断には、小区分に含まれる複数の画素のパラメータの代表値が用いられる。上述の実施形態は、各画素のパラメータがそのまま代表値である場合の例である。変形例４において、代表値は、例えば小区分内のパラメータの最大値または最小値である。この場合、表示制御部１０８（算出手段１５）は、各小区分内のパラメータの代表値を算出する。表示制御部１０８は、算出した代表値を用いてリフレッシュ条件の判断を行う。代表値は、小区分内のパラメータを代表するものであれば、積分値・最頻値・２乗平均値・その他いかなる統計処理結果が用いられてもよい。
【００３５】
３−５．変形例５
上述の実施形態において、リフレッシュ処理は表示体１０７の全画素を対象に行われた。しかし、リフレッシュ処理は、表示体１０７が有する画素のうち、少なくとも代表値（パラメータ）がしきい値を超えた画素を含む一部の領域についてのみ行われてもよい。例えば図６のように小区分が設定される場合において左上の小区分で代表値がしきい値を超えたとき、表示体１０７が有する画素のうち、左上の小区分を含む一部の領域についてのみリフレッシュ処理が行われてもよい。
【００３６】
３−６．変形例６
リフレッシュ処理は上述の実施形態で説明したものに限定されない。例えば、リフレッシュ処理は、全画素を黒にするデータを書き込むステップを所定回数繰り返し行い、その後、全画素を白にするデータを書き込むステップを所定回数繰り返し行うものであってもよい。あるいは、リフレッシュ処理は、全画素を黒にするデータを書き込むステップと全画素を白にするデータを書き込むステップを交互に所定回数繰り返し行うものであってもよい。さらにあるいは、リフレッシュ処理は、全画素を黒にするデータを書き込むステップおよび全画素を白にするデータを書き込むステップのうちいずれか一方だけを含んでもよい。全画素を黒にするデータを書き込むステップまたは全画素を白にするデータを書き込むステップの代わりに、現在表示されている画像の反転画像を書き込むステップが用いられてもよい。また、全画素を黒または白にする代わりに画面の一部を黒または白にするステップが用いられてもよい。
【００３７】
３−７．変形例７
情報表示装置１および画像書き換え制御装置１０の機能構成は、図１に示したものに限定されない。割り込み処理手段３０・画像生成手段４０等の、画像書き換え制御装置１０が有さないものとして説明された機能を、画像書き換え制御装置１０が有してもよい。また、画像書き換え制御装置１０の機能として説明されたものの一部を、画像書き換え制御装置１０が有していなくてもよい。
【００３８】
また、機能構成とハードウェア構成の対応関係も上述の実施形態で説明したものに限定されない。例えば上述の実施形態では、ＣＰＵ１０１が割り込み処理手段３０、画像生成手段４０としての機能を兼ね備えていたが、これらの機能のうち一部または全部がＣＰＵ１０１以外のハードウェア要素により実現されてもよい。例えば、割り込み処理手段３０としての機能を有する割り込み監視回路が別途設けられてもよい。あるいは別の例で、表示制御部１０８以外の装置、例えばＣＰＵ１０１が、測定手段１３および算出手段１５としての機能を有していてもよい。この場合は、ＣＰＵ１０１および表示制御部１０８の集合体が画像書き換え制御装置１０として機能する。
【００３９】
３−８．変形例８
上述の実施形態において、画素状態を更新する際、第１の画像と第２の画像で階調値が異なる画素については、パラメータの値はゼロに更新された。しかし、パラメータの更新方法はこれに限定されない。例えば、Ｐ＝４である画素について、第２の画像の階調値が白であった場合、Ｐ＝４−１＝３というように、第２の画像の階調値に応じてパラメータの値を増減してもよい。この例によれば、Ｐ＝−３である画素について、第２の画像の階調値が黒であった場合、Ｐ＝−３＋１＝−２となる。
【００４０】
３−９．他の変形例
情報表示装置１のハードウェア構成は図２で示されるものに限定されない。必要な機能構成を実現できるものであれば、どのようなハードウェア構成を有する装置が用いられてもよい。また上述の実施形態では情報表示装置１が電子ペーパである例について説明したが、情報表示装置１は電子ペーパ以外の装置であってもよい。
【００４１】
上述の実施形態においてＣＰＵ１０１によって実行されるプログラムは、磁気記録媒体（磁気テープ、磁気ディスク（ＨＤＤ（Hard Disk Drive）、ＦＤ（Flexible Disk））など）、光記録媒体（光ディスク（ＣＤ（Compact Disk）、ＤＶＤ（Digital Versatile Disk））など）、光磁気記録媒体、半導体メモリ（フラッシュＲＯＭなど）などのコンピュータ読取り可能な記録媒体に記憶した状態で提供されてもよい。また、このプログラムは、インターネットのようなネットワーク経由でダウンロードされてもよい。
【図面の簡単な説明】
【００４２】
【図１】一実施形態に係る情報表示装置１の機能構成を示す図である。
【図２】情報表示装置１のハードウェア構成を示す図である。
【図３】情報表示装置１の外観を示す図である。
【図４】情報表示装置１の動作を示すフローチャートである。
【図５】画素状態を例示する図である。
【図６】変形例４に係る小区分を例示する図である。
【符号の説明】
【００４３】
１…情報表示装置、１０…画像書き換え制御装置、１１…書き換え手段、１２…制御手段、１３…測定手段、１４…記憶手段、１５…算出手段、２０…操作手段、３０…割り込み処理手段、４０…画像生成手段、５０…記憶手段、６０…表示装置、１０１…ＣＰＵ、１０２…ＲＯＭ、１０３…ＲＡＭ、１０４…ＶＲＡＭ、１０５…Ｉ／Ｏ、１０６…ＵＩボタン群、１０７…表示体、１０８…表示制御部、１１１…電源オン・オフ回路、１１２…電源制御部、１１３…電池、１１４…バス、１１５…補助記憶装置、１１７…指紋センサ
【図１】
2009204813.tif 000003
【図２】
2009204813.tif 000004
【図３】
2009204813.tif 000005
【図４】
2009204813.tif 000006
【図５】
2009204813.tif 000007
【図６】
2009204813.tif 000008